(57)【要約】【課題】足の縦アーチと横アーチ双方を同時にサポートする靴下およびサポート装置を提供する。【解決手段】本考案に係る靴下は、装着時に中足靱帯付近に対応する部分に短手方向に周設された第１の締付部と、当該第１の締付部の一方の側部から踵部分を介して他方の側部まで長手方向に周設された第２の締付部とを具える。これらの締付部は、靴下の他の部分よりも伸縮性の強い素材で作られている。また、これらの締付部の素材には、ゴム、ポリウレタン、またはＰＴＴ繊維のうちの少なくとも一つが含まれている。さらに、前記第１の締付部は、足の裏部分と足の甲部分とで伸縮力が異なることが好適である。【選択図】図１
0003137194.tif 000002
【実用新案登録請求の範囲】
【請求項１】
装着時に中足靱帯付近に対応する部分に短手方向に周設された第１の締付部と、当該第１の締付部の一方の側部から踵部分を介して前記第１の締付部の他方の側部まで長手方向に周設された第２の締付部とを具えることを特徴とする靴下。
【請求項２】
装着時に中足靱帯付近に対応する部分に短手方向に周設された第１の締付部と、母趾の先端部に対応する部分から踵部分を介して当該第１の締付部の外側側部まで長手方向に周設された第２の締付部とを具えることを特徴とする靴下。
【請求項３】
装着時に中足靱帯付近に対応する部分に短手方向に周設された第１の締付部と、小趾の先端部に対応する部分から踵部分を介して当該第１の締付部の内側側部まで長手方向に周設された第２の締付部とを具えることを特徴とする靴下。
【請求項４】
装着時に中足靱帯付近に対応する部分に短手方向に周設された第１の締付部と、母趾の先端部に対応する部分から踵部分を介して小趾の先端部に対応する部分まで長手方向に周設された第２の締付部とを具えることを特徴とする靴下。
【請求項５】
請求項１乃至４のいずれか１項に記載の靴下において、前記第１および第２の締付部がそれぞれ、当該靴下の他の部分よりも伸縮性の強い素材で構成されるていることを特徴とする靴下。
【請求項６】
請求項１乃至５のいずれか１項に記載の靴下において、当該靴下の先端部が指に応じて分割されていることを特徴とする靴下。
【請求項７】
請求項１乃至６のいずれか１項に記載の靴下において、前記第１および第２の締付部が、当該靴下と別部材で構成されていることを特徴とする靴下。
【請求項８】
請求項１乃至７のいずれか１項に記載の靴下において、前記締付部の素材に、ゴム、ポリウレタン、またはＰＴＴ繊維のうちの少なくとも一つが含まれることを特徴とする靴下。
【請求項９】
請求項１乃至８のいずれか１項に記載の靴下において、前記第１の締付部が、足の裏部分と足の甲部分とで伸縮力が異なることを特徴とする靴下。
【請求項１０】
請求項１乃至９のいずれか１項に記載の靴下において、第２の締付部が複数部材で構成されていることを特徴とする靴下。
【請求項１１】
装着時に中足靱帯付近に対応する部分に短手方向に周設された第１の締付部と、当該第１の締付部の一方の側部から踵部分を介して前記第１の締付部の他方の側部まで長手方向に周設された第２の締付部とを具えることを特徴とするサポート装置。
【請求項１２】
請求項１１に記載のサポート装置において、前記締付部の素材に、ゴム、ポリウレタン、またはＰＴＴ繊維のうちの少なくとも一つが含まれることを特徴とするサポート装置。
【請求項１３】
請求項１１または１２のいずれか１項に記載のサポート装置において、前記第１の締付部が、足の裏部分と足の甲部分とで伸縮力が異なることを特徴とするサポート装置。
【請求項１４】
請求項１１乃至１３のいずれか１項に記載のサポート装置において、第２の締付部が複数部材で構成されていることを特徴とするサポート装置。
【考案の詳細な説明】
【技術分野】
【０００１】
本考案は靴下および足のサポート装置に関し、特に、足の縦アーチと横アーチをサポートして、足底の筋肉疲労を和らげると共に、扁平足や外反母趾等による弊害を軽減する靴下および装置に関する。
【背景技術】
【０００２】
正常な人の足底には、長手方向の縦アーチと短手方向の横アーチとがある。これらのアーチは、前脛骨筋、後脛骨筋、長短腓骨筋、および足底にある様々な筋肉等により形成され、歩行時や走る時に足を地面に着けた際の衝撃を吸収する役割を果たしている。これらのアーチが何らかの理由により失われた状態、すなわち、縦アーチや横アーチが崩れて足が広がった扁平足等の状態では、足を地面に着けた際の衝撃を十分に吸収できなくなる。したがって、着地時の衝撃を足首や膝で吸収するようになり、足首や膝を痛めてしまうことがある。また、膝をかばおうとして腰痛を引き起こしたり、背骨や首を痛める恐れもある。さらには、これらが原因で頭痛を引き起こすこともある。このように、足のアーチが失われると身体上の種々の問題を引き起こすことが知られている。
【０００３】
このような問題に鑑み、足のアーチをサポートする靴下等が種々提案されている。例えば、ゴム等の弾性材を利用して中足靱帯部分の締め付け力を他の部分より強くすることにより、足のアーチをサポートして外反母趾を矯正する靴下がある（特許文献１、特許文献２、および特許文献３）。また、足底のアーチに対応する形状を有するアーチサポート部により足のアーチをサポートする足底板がある（特許文献４）。
【０００４】
【特許文献１】実用新案登録第２５３４７８１号
【特許文献２】特開２００５−２８１９１７
【特許文献３】特開２００５−４２２１３
【特許文献４】実用新案登録第３１０７８５０号
【考案の開示】
【考案が解決しようとする課題】
【０００５】
しかしながら、特許文献１乃至３の靴下はいずれも、中足靱帯部分を締め付けて足の横アーチをサポートするだけで足の縦アーチはサポートしていない。このため、足のアーチが崩れたことによる弊害を軽減する効果が低い。また、特許文献４の足底板は、当該足裏板を押し当てて足のアーチをサポートするが、この構成では中足靱帯を締め付けることができず、当該靱帯を矯正する効果が低い。さらにこの足底板は、利用者の足底の形状に合わせて足底板を形成する必要があるため、汎用性が低く製造コストがかかってしまう。したがって、利用者の足の形状を考慮することなく、足の双方のアーチを同時にサポートできる靴下や装置の必要がある。
【課題を解決するための手段】
【０００６】
この課題を解決すべく、本考案に係る靴下は、装着時に中足靱帯付近に対応する部分に短手方向に周設された第１の締付部と、当該第１の締付部の一方の側部から踵部分を介して前記第１の締付部の他方の側部まで長手方向に周設された第２の締付部とを具える。
【０００７】
本考案に係る靴下はまた、装着時に中足靱帯付近に対応する部分に短手方向に周設された第１の締付部と、母趾の先端部に対応する部分から踵部分を介して当該第１の締付部の外側側部まで長手方向に周設された第２の締付部とを具える。
【０００８】
本考案に係る靴下はさらに、装着時に中足靱帯付近に対応する部分に短手方向に周設された第１の締付部と、小趾の先端部に対応する部分から踵部分を介して当該第１の締付部の内側側部まで長手方向に周設された第２の締付部とを具える。
【０００９】
本考案に係る靴下はさらに、装着時に中足靱帯付近に対応する部分に短手方向に周設された第１の締付部と、母趾の先端部に対応する部分から踵部分を介して小趾の先端部に対応する部分まで長手方向に周設された第２の締付部とを具える。
【００１０】
また、本考案に係る靴下において、前記第１および第２の締付部がそれぞれ、当該靴下の他の部分よりも伸縮性の強い素材で構成されている。
【００１１】
さらに、本考案に係る靴下において、当該靴下の先端部が指に応じて分割されている。
【００１２】
さらに、本考案に係る靴下において、前記第１および第２の締付部が、当該靴下と別部材で構成されている。
【００１３】
さらに、本考案に係る靴下において、前記締付部の素材に、ゴム、ポリウレタン、またはＰＴＴ繊維のうちの少なくとも一つが含まれる。
【００１４】
さらに、本考案に係る靴下において、前記第１の締付部が、足の裏部分と足の甲部分とで伸縮力が異なる。
【００１５】
さらに、本考案に係る靴下において、第２の締付部が複数部材で構成されている。
【００１６】
本考案にかかるサポート装置は、装着時に中足靱帯付近に対応する部分に短手方向に周設された第１の締付部と、当該第１の締付部の一方の側部から踵部分を介して前記第１の締付部の他方の側部まで長手方向に周設された第２の締付部とを具える。
【００１７】
また、本考案にかかるサポート装置において、前記締付部の素材に、ゴム、ポリウレタン、またはＰＴＴ繊維のうちの少なくとも一つが含まれる。
【００１８】
さらに、本考案にかかるサポート装置において、前記第１の締付部が、足の裏部分と足の甲部分とで伸縮力が異なる。
【００１９】
さらに、本考案にかかるサポート装置において、第２の締付部が複数部材で構成されている。
【考案の効果】
【００２０】
本考案に係る靴下およびサポート装置によれば、足の横および縦アーチ双方を同時にサポートすることができる。すなわち、足の長手方向と短手方向の双方に伸縮性の強い締付部を設けているため、靴下を足に装着することによりこれらの締付部が引っ張られ、その伸縮作用によって足が長手方向および短手方向から同時に締め付けられる。これにより、足の横および縦アーチ双方が同時にサポートされ、足底の筋肉疲労を和らげると共に、扁平足等の症状をより効果的に緩和することができる。
【００２１】
また、本考案に係る靴下は、装着時に中足靱帯付近に対応する部分に短手方向に周設した第１の締付部と、母趾あるいは小趾の先端部に対応する部分から踵部分を介して前記締付部の一方の側部まで延在させて長手方向に周設した第２の締付部とを具える。また、好適な実施例においては、靴下の先端部分を指に応じて分割することが好ましい。使用時には、この第１の締付部が中足靱帯部分を内側に締め付け、延びた中足靱帯を正常な状態に戻す。また、第２の締付部がその伸縮作用により、外反した母趾を内側に引っ張り、あるいは内反した小趾を外側に引っ張ることができる。これにより、外反した母趾や内反した小趾を正常な位置に戻し、外反母趾や内反小等の症状をより効果的に緩和することができる。
【考案を実施するための最良の形態】
【００２２】
本考案の実施の形態を、添付の図面を参照しながら以下に詳細に説明する。
【実施例１】
【００２３】
図１は、本考案に係る靴下の第１実施例を示す正面図であり、図２は、本実施例を示す平面図である。図１および２に示すように、本実施例に係る靴下は、装着時に中足靱帯付近に対応する部分に周設する締付部１と、当該締付部１の一方の側部から踵部分３を介して他方の側部まで周設する締付部２とを具えている。締付部１と締付部２は、糸や接着剤などを利用して足の両側面部４で接ぎ合わすことが好適である。また、これらの締付部は足の両側面部４で重ね合わせてもよい。さらに、これらの締付部は糸や接着剤等を利用して靴下に取り付けられることが好適である。また、靴下を編成するときに締付部１を形成し、後に締付部２を靴下に取り付けてもよい。
【００２４】
本実施例に係る靴下は、綿、アクリル、毛、ナイロン、ポリエステル、ポリウレタン、ＰＰＴ（ポリトリメチレンテレフタレート）繊維、麻、ポリ塩化ビニル、ポリプロピレンなどの素材から作ることができる。締付部１および２は、ゴム、ポリウレタン、ＰＴＴ繊維等の伸縮性素材から製造し、靴下の他の部分よりも伸縮力を強くすることが好適である。これらの素材の伸縮性により、締付部１は足の横アーチをサポートし、締付部２は縦アーチをサポートする。また、締付部１は、足裏部分と足の甲部分とで伸縮の強さを変えることが好適である。すなわち、足裏部分の伸縮力を足の甲部分の伸縮力よりも強くする。これは、締付部１の足裏部分に使用する伸縮性素材の量を足の甲部分よりも多くし、または足の裏と甲で伸縮力の異なる素材を利用することで実現できる。これにより、足の横アーチをより効果的にサポートすることができる。
【００２５】
本実施例に係る靴下の寸法は、例えば着用者の足のサイズを２５ｃｍとした場合、締付部１は、幅が約２ｃｍから３ｃｍ程度、長さが約２５ｃｍ程度、厚さが約４ｍｍ程度であり、締付部２は、幅が約２ｃｍから３ｃｍ程度、長さが約２０ｃｍ程度、厚さが約４ｍｍ程度である。当然ではあるが、これらの寸法は、靴下の着用者の足の大きさに合わせて変更してもよい。
【００２６】
図３および図４は、本実施例に係る靴下の使用状態を示す図である。使用時には、靴下を足に装着することにより締付部１および２が伸張し、各締付部に伸縮作用が働く。図３に示すように、締付部１は中足靱帯付近の足の両側部分を内側に締め付ける。図４に示すように、締付部２は、当該締付部２に接ぎ合わした締付部１により中足靱帯部分５がしっかりと把持され、これによって、中足靱帯部分５と踵部分３が引き寄せられて足裏の中心部分を持ち上げることができる。このように、短手方向および長手方向に足を締め付けることで足裏の中心部分が持ち上がり、足の横アーチと縦アーチの双方を同時にサポートする。これにより、足底の筋肉疲労を和らげると共に、扁平足の症状を緩和することができる。
【実施例２】
【００２７】
図５は、本考案に係る靴下の第２実施例を示す正面図であり、図６は、当該実施例を示す平面図である。本実施例は、特に、外反母趾を矯正する靴下として利用することができる。図５および６に示すように、本実施例に係る靴下は、装着時に中足靱帯付近に対応する部分に周設する締付部１’と、母趾の先端部６’に対応する部分から踵部分３’を介して締付部１’の外側の側部まで延在している締付部２’とを具えている。締付部１’と締付部２’は、実施例１と同様に、足の両側面部４’で接ぎ合わすことが好適である。また、これらの締付部は足の両側面部４’で重ね合わせてもよい。さらに、これらの締付部は糸や接着剤等により靴下に取り付けられることが好適である。また、靴下を編成するときに締付部１’を靴下と別の素材で形成し、締付部２’を別部材で構成して、当該締付部２’を糸や接着剤等により靴下に固定してもよい。この靴下は、先端部が足の指毎に分かれていることが好ましい。この先端部は、母趾部分と他の指部分とに２分割するように構成してもよい。
【００２８】
本実施例に係る靴下は、実施例１の靴下と同様の素材から作ることができる。締付部１’および２’は、ゴム、ポリウレタン、ＰＴＴ繊維等の伸縮性素材から製造することが好適である。これらの素材の伸縮性により、締付部１’は足の横アーチをサポートし、締付部２’は縦アーチをサポートする。また、締付部１’は第１実施例と同様に足裏部分と足の甲部分とで伸縮の強さを変えることが好適である。
【００２９】
本実施例に係る靴下の寸法は、例えば着用者の足のサイズを２５ｃｍとした場合、締付部１’は、幅が約２ｃｍから３ｃｍ程度、長さが約２５ｃｍ程度、厚さが約４ｍｍ程度であり、締付部２’は、幅が約２ｃｍから３ｃｍ程度、長さが約３５ｃｍ程度、厚さが約４ｍｍ程度である。当然ではあるが、これらの寸法は、靴下の着用者の足の大きさに合わせて変更してもよい。
【００３０】
使用時には、足を靴下に挿入することにより各締付部が伸張し、各締付部に伸縮作用が働く。すなわち、締付部１’が、中足靱帯付近の足の両側部分を内側に締め付け、延びた中足靱帯を正常な状態に戻すことができる。また、本実施例では、図７に示すように、締付部２’が母趾の先端部６’に対応する部分まで延在しており、靴下の先端部が指毎で分割されている。これにより、外反した母趾の先端部６’のみが、締付部２’の伸縮作用により内側に引っ張られ、外反した母趾を正常な位置に戻すことができる。このように、締付部１’および締付部２’により、延びた中足靱帯を矯正し、外反した母趾を正常の位置に矯正することができる。
【００３１】
本考案に係る靴下はまた、内反小趾を矯正する靴下として利用してもよい。この場合、長手方向に周設する締付部２，２’を、小趾の先端部に対応する部分から締付部１，１’の外側の側部および踵部分３，３’を介して締付部１，１’の内側の側部まで延在させる。靴下の先端部は、指毎に分割されているのが好適である。代替的に、小趾と他の指とに２分割するように構成してもよい。その他の構成は、第２実施例と同じである。
【００３２】
本考案に係る靴下はさらに、外反母趾および内反小趾の双方を矯正する靴下として構成することもできる。この場合、長手方向に周設する締付部２，２’を、母趾の先端部に対応する部分から締付部１，１’の内側の側部、踵部分３，３’、および締付部１，１’の外側の側部を介して小趾の先端部に対応する部分まで延在させる。靴下の先端部は、指毎に分割されているのが好適である。代替的に、母趾部分および小趾部分と他の指部分とで３分割するように構成してもよい。その他の構成は、第２実施例と同じである。
【実施例３】
【００３３】
図８は、本考案に係るサポート装置を示す正面図であり、図９は、当該サポート装置を示す平面図である。本考案に係るサポート装置は、靴下とは別部材にして単独で利用することができる。図８および９に示すように、サポート装置は、装着時に中足靱帯付近に対応する部分に周設する締付部１’’と、当該締付部１’’の一方の側部から踵部分３’’を介して他方の側部まで周設する締付部２’’で構成されている。締付部１’’と締付部２’’は、糸や接着剤等により足の両側面部４’’で接ぎ合わすことが好適である。
【００３４】
本実施例に係るサポート装置は、ゴム、ポリウレタン、ＰＴＴ繊維等の伸縮性素材から製造することが好適である。これらの素材の伸縮性により、締付部１’’は足の横アーチをサポートし、締付部２’’は縦アーチをサポートする。また、締付部１’’は、実施例１および２と同様に、足裏部分と足の甲部分とで伸縮の強さを変えることが好適である。
【００３５】
本実施例に係る締付部の寸法は、例えば着用者の足のサイズを２５ｃｍとした場合、締付部１’’は、幅が約２ｃｍから３ｃｍ程度、長さが約２５ｃｍ程度、厚さが約４ｍｍ程度であり、締付部２’’は、幅が約２ｃｍから３ｃｍ程度、長さが約２０ｃｍ程度、厚さが約４ｍｍ程度である。当然ではあるが、これらの寸法は、着用者の足の大きさに合わせて変更してもよい。
【００３６】
使用時には、これらの締付部１’’および２’’が伸張し、各締付部の伸縮作用により足が短手方向および長手方向に締め付けられ、足裏の中心部分が持ち上がり、足の横アーチと縦アーチの双方が同時にサポートされる。これにより、足底の筋肉疲労を和らげると共に、扁平足の症状を緩和することができる。
【００３７】
本実施例ではサポート装置を直接足に装着しているが、靴下の上からサポート装置を装着し、あるいは靴下にサポート装置を固定して使用してもよい。
【００３８】
本考案に係る靴下およびサポート装置はさらに、図１０に示すように、長手方向に周設する締付部２’’’を複数、例えば２つにして、足の踵部分と踝部分の２箇所に伸縮力が作用するようにしてもよい。
【００３９】
本考案の好適な実施例を示し説明したが、本考案の目的または特徴から逸脱しない範囲で様々な変更を加えることができると理解されるべきである。特に、本考案に係る靴下およびサポート装置の締付部の寸法は、上述した例に限定されるものではなく、着用者の足の大きさに応じて適宜変更することができる。
【産業上の利用可能性】
【００４０】
本考案に係る靴下およびサポート装置は、下着製造業界、特に靴下製造業界に利用することができる。
【図面の簡単な説明】
【００４１】
【図１】本考案に係る第１実施例を示す正面図である。
【図２】本考案に係る第１実施例を示す平面図である。
【図３】第１実施例の靴下の使用状態を示す図である。
【図４】第１実施例の靴下の使用状態を示す図である。
【図５】本考案に係る第２実施例を示す正面図である。
【図６】本考案に係る第２実施例を示す平面図である。
【図７】第２実施例の靴下を使用するときに、外反した母趾に作用する力を示す図である。
【図８】本考案に係る第３実施例を示す正面図である。
【図９】本考案に係る第３実施例を示す平面図である。
【図１０】本考案の他の実施例を示す図である。
【符号の説明】
【００４２】
１    短手方向の締付部
２    長手方向の締付部
３    踵部分
４    接ぎ合わせ部分
５    中足靱帯部分
１’  短手方向の締付部
２’  長手方向の締付部
３’  踵部分
４’  接ぎ合わせ部分
６’  母趾の先端部
１’’ 短手方向の締付部
２’’ 長手方向の締付部
３’’ 踵部分
４’’ 接ぎ合わせ部分
２’’’長手方向の締付部
【図１】
0003137194.tif 000003
【図２】
0003137194.tif 000004
【図３】
0003137194.tif 000005
【図４】
0003137194.tif 000006
【図５】
0003137194.tif 000007
【図６】
0003137194.tif 000008
【図７】
0003137194.tif 000009
【図８】
0003137194.tif 000010
【図９】
0003137194.tif 000011
【図１０】
0003137194.tif 000012